【手続補正書】
【提出日】平成17年4月27日(2005.4.27)
【手続補正１】
【補正対象書類名】明細書
【補正対象項目名】発明の名称
【補正方法】変更
【補正の内容】
【発明の名称】光学ヘッド及び光ディスク装置
【手続補正２】
【補正対象書類名】明細書
【補正対象項目名】特許請求の範囲
【補正方法】変更
【補正の内容】
【特許請求の範囲】
【請求項１】
対物レンズを光ディスク表面に対し垂直なフォーカス方向のＺ軸と光ディスクの半径方向であるトラッキング方向のＸ軸の２方向に駆動する２軸アクチュエータ方式の光学ヘッドであって、
前記Ｚ軸に前記対物レンズの光軸を一致させて該対物レンズを保持するコイルボビンと、
前記Ｚ軸の軸周りに巻かれるようにして前記コイルボビンに設けられたフォーカスコイルと、
前記コイルボビンの前記Ｘ軸方向の両端箇所にＸ軸の軸周りに巻かれるようにして設けられた１対のトラッキングコイルと、
前記コイルボビンをフォーカス方向とトラッキング方向に揺動可能に支持する支持手段と、
前記Ｚ軸及びＸ軸と直交するＹ軸方向の前記各トラッキングコイルの両端と対向する箇所にそれぞれ配設され、前記トラッキングコイルと対向する面が互いに同極となるようにＹ軸方向に磁化された２組のマグネットと、
前記各組のマグネットのうち、前記フォーカスコイルを挟んで相対向する１対のマグネットが発生する磁力線が前記トラッキングコイル及びフォーカスコイルを横切る閉磁路を構成する磁気回路と、
を備えることを特徴とする光学ヘッド。
【請求項２】
前記支持手段は、複数の板バネから構成されていることを特徴とする請求項１記載の光学ヘッド。
【請求項３】
前記板バネは、前記フォーカスコイル及びトラッキングコイルへの信号供給用の信号線を兼ねていることを特徴とする請求項２記載の光学ヘッド。
【請求項４】
前記２組の各マグネットは、前記対物レンズの光軸を通るＺ軸とＹ軸とを含むＺ−Ｙ平面及び前記対物レンズの光軸を通るＺ軸とＸ軸とを含むＺ−Ｘ平面に対し面対称となるように配置されていることを特徴とする請求項１記載の光学ヘッド。
【請求項５】
前記磁気回路は、前記２組のマグネットのそれぞれに対応するヨークと、前記対物レンズのＹ軸方向の両側と対向する前記フォーカスコイル内に臨ませてＺ軸と平行に配設されたバックヨークとを備えることを特徴とする請求項１記載の光学ヘッド。
【請求項６】
前記磁気回路は、前記２組のマグネットのそれぞれに対応するヨークと、前記対物レンズのＸ軸方向の両側と対向する前記フォーカスコイルの内側に臨ませてＺ軸と平行に配設されたバックヨークとを備えることを特徴とする請求項１記載の光学ヘッド。
【請求項７】
前記対物レンズは該対物レンズの収差を補正する液晶素子を備えていることを特徴とする請求項１記載の光学ヘッド。
【請求項８】
前記対物レンズの光軸を通るＺ軸とＹ軸とを含むＺ−Ｙ平面と平行な前記コイルボビンのＸ軸方向の両側面箇所及び前記対物レンズの光軸を通るＺ軸とＸ軸とを含むＺ−Ｘ平面と平行な前記コイルボビンのＹ軸方向の両側面箇所の少なくとも一方に前記フォーカスコイル及びトラッキングコイルの駆動用回路素子が実装される回路基板が配設されていることを特徴とする請求項１記載の光学ヘッド。
【請求項９】
前記対物レンズは該対物レンズの収差を補正する液晶素子を備え、前記対物レンズの光軸を通るＺ軸とＹ軸とを含むＺ−Ｙ平面と平行な前記コイルボビンのＸ軸方向の両側面箇所及び前記対物レンズの光軸を通るＺ軸とＸ軸とを含むＺ−Ｘ平面と平行な前記コイルボビンのＹ軸方向の両側面箇所の少なくとも一方に前記フォーカスコイルとトラッキングコイル及び前記液晶素子の少なくとも一方の駆動用回路素子が実装される回路基板が配設されていることを特徴とする請求項１記載の光学ヘッド。
【請求項１０】
前記支持手段は複数の板バネから構成され、前記対物レンズは該対物レンズの収差を補正する液晶素子を備え、前記対物レンズの光軸を通るＺ軸とＹ軸とを含むＺ−Ｙ平面と平行な前記コイルボビンのＸ軸方向の両側面箇所及び前記対物レンズの光軸を通るＺ軸とＸ軸とを含むＺ−Ｘ平面と平行な前記コイルボビンのＹ軸方向の両側面箇所の少なくとも一方に前記フォーカスコイルとトラッキングコイル及び前記液晶素子の少なくとも液晶素子の駆動用回路素子が実装される回路基板が配設され、前記板バネは前記駆動用回路基板への信号供給用の信号線を兼ねていることを特徴とする請求項１記載の光学ヘッド。
【請求項１１】
対物レンズを光ディスク表面に対し垂直なフォーカス方向のＺ軸と光ディスクの半径方向であるトラッキング方向のＸ軸の２方向に駆動する２軸アクチュエータ方式の光学ヘッドを備えた光ディスク装置であって、
前記Ｚ軸に前記対物レンズの光軸を一致させて該対物レンズを保持するコイルボビンと、
前記Ｚ軸の軸周りに巻かれるようにして前記コイルボビンに設けられたフォーカスコイルと、
前記コイルボビンの前記Ｘ軸方向の両端箇所にＸ軸の軸周りに巻かれるようにして設けられた１対のトラッキングコイルと、
前記コイルボビンをフォーカス方向とトラッキング方向に揺動可能に支持する支持手段と、
前記Ｚ軸及びＸ軸と直交するＹ軸方向の前記各トラッキングコイルの両端と対向する箇所にそれぞれ配設され、前記トラッキングコイルと対向する面が互いに同極となるようにＹ軸方向に磁化された２組のマグネットと、
前記各組のマグネットのうち、前記フォーカスコイルを挟んで相対向する１対のマグネットが発生する磁力線が前記トラッキングコイル及びフォーカスコイルを横切る閉磁路を構成する磁気回路と、
を備えることを特徴とする光ディスク装置。
【手続補正３】
【補正対象書類名】明細書
【補正対象項目名】０００１
【補正方法】変更
【補正の内容】
【０００１】
【発明の属する技術分野】
本発明は、光磁気ディスク装置やＤＶＤ装置などの光気ディスク装置の光学ピックアップに使用される光学ヘッド及び光気ディスク装置に関し、特に対物レンズをフォーカス方向とトラッキング方向の２軸に動かすことが可能な２軸アクチュエータ方式の光学ヘッドにおいて、高記録密度・小径光ディスクシステムを実現できる光学ヘッド及び光ディスク装置に関する。
【手続補正４】
【補正対象書類名】明細書
【補正対象項目名】００１８
【補正方法】変更
【補正の内容】
【００１８】
上記目的を達成するために本発明は、対物レンズを光ディスク表面に対し垂直なフォーカス方向のＺ軸と光ディスクの半径方向であるトラッキング方向のＸ軸の２方向に駆動する２軸アクチュエータ方式の光学ヘッドであって、前記Ｚ軸に前記対物レンズの光軸を一致させて該対物レンズを保持するコイルボビンと、前記Ｚ軸の軸周りに巻かれるようにして前記コイルボビンに設けられたフォーカスコイルと、前記コイルボビンの前記Ｘ軸方向の両端箇所にＸ軸の軸周りに巻かれるようにして設けられた１対のトラッキングコイルと、前記コイルボビンをフォーカス方向とトラッキング方向に揺動可能に支持する支持手段と、前記Ｚ軸及びＸ軸と直交するＹ軸方向の前記各トラッキングコイルの両端と対向する箇所にそれぞれ配設され、前記トラッキングコイルと対向する面が互いに同極となるようにＹ軸方向に磁化された２組のマグネットと、前記各組のマグネットのうち、前記フォーカスコイルを挟んで相対向する１対のマグネットが発生する磁力線が前記トラッキングコイル及びフォーカスコイルを横切る閉磁路を構成する磁気回路とを備えることを特徴とする。
また、本発明は、対物レンズを光ディスク表面に対し垂直なフォーカス方向のＺ軸と光ディスクの半径方向であるトラッキング方向のＸ軸の２方向に駆動する２軸アクチュエータ方式の光学ヘッドを備えた光ディスク装置であって、前記Ｚ軸に前記対物レンズの光軸を一致させて該対物レンズを保持するコイルボビンと、前記Ｚ軸の軸周りに巻かれるようにして前記コイルボビンに設けられたフォーカスコイルと、前記コイルボビンの前記Ｘ軸方向の両端箇所にＸ軸の軸周りに巻かれるようにして設けられた１対のトラッキングコイルと、前記コイルボビンをフォーカス方向とトラッキング方向に揺動可能に支持する支持手段と、前記Ｚ軸及びＸ軸と直交するＹ軸方向の前記各トラッキングコイルの両端と対向する箇所にそれぞれ配設され、前記トラッキングコイルと対向する面が互いに同極となるようにＹ軸方向に磁化された２組のマグネットと、前記各組のマグネットのうち、前記フォーカスコイルを挟んで相対向する１対のマグネットが発生する磁力線が前記トラッキングコイル及びフォーカスコイルを横切る閉磁路を構成する磁気回路と、を備えることを特徴とする。
【手続補正５】
【補正対象書類名】明細書
【補正対象項目名】００１９
【補正方法】変更
【補正の内容】
【００１９】
本発明においては、２組のマグネットが対物レンズの光軸と直交するＹ軸上に配置されることなく、トラッキング方向及びフォーカス方向に駆動力を発生させる磁気回路を構成できるから、光学ヘッドのサイズをＹ軸方向に小型化することができる。
そして、各組のマグネットは、対物レンズの光軸を通るＺ軸とＹ軸を含むＺ−Ｙ平面に対して面対称になるように配置され、かつトラッキングコイルと対向する面が同極となるようにＹ軸方向に磁化されたマグネットは対物レンズの光軸を通るＺ軸とＸ軸を含むＺ−Ｘ平面に対して面対称になるように配置されているため、コイルボビン及び対物レンズ等を含む可動部の重心、フォーカス（トラッキング）駆動点及びフォーカス（トラッキング）支持点がフォーカス（トラッキング）軸上に並ぶことで、動的性能にアンバランスが生じるのを防止でき、高密度・高転送レート化に伴う動的性能の高性能化を実現できる。
【手続補正６】
【補正対象書類名】明細書
【補正対象項目名】００２０
【補正方法】変更
【補正の内容】
【００２０】
【発明の実施の形態】
以下、本発明の光学ヘッド及び光ディスク装置の実施の形態について図面を参照して詳細に説明する。
図１は本発明にかかる光学ヘッドの一実施の形態を示す斜視図、図２は一実施の形態における光学ヘッドのコイルボビン、フォーカスコイル及びトラッキングコイル部分の斜視図、図３は一実施の形態におけるマグネットの磁界分布を表す説明図、図４は一実施の形態におけるフォーカスコイル及びトラッキングコイルの説明用斜視図、図５は一実施の形態における光学ヘッドの駆動原理を示す説明用の模式図である。
【手続補正７】
【補正対象書類名】明細書
【補正対象項目名】００２１
【補正方法】変更
【補正の内容】
【００２１】
図１及び図２において、光ディスク装置は光学ヘッド１００を備え、この光学ヘッド１００は対物レンズを光ディスク表面に対し垂直なフォーカス方向のＺ軸と光ディスクの半径方向であるトラッキング方向のＸ軸の２方向に駆動することで、光ディスクの面振れや偏心に追従できるようにした２軸アクチュエータ方式であり、コイルボビン１０１と、対物レンズ１０２と、１つのフォーカスコイル１０３と、１対のトラッキングコイル１０４ａ，１０４ｂと、４本の板バネ１０５ａ〜１０５ｄ（請求項の支持手段に相当する）と、支持部材１０６と、２組４個のマグネット１０７ａ〜１０７ｄと、マグネット１０７ａ〜１０７ｄに対応するヨーク１０８ａ〜１０８ｄと、バックヨーク１０９ａ，１０９ｂとを備える。
【手続補正８】
【補正対象書類名】明細書
【補正対象項目名】００２８
【補正方法】変更
【補正の内容】
【００２８】
このような本実施の形態によれば、２組のマグネット１０７ａ〜１０７ｄ及びヨーク１０８ａ〜１０８ｄが対物レンズ１０２の光軸と直交するＹ軸上に配置されることなく、トラッキング方向及びフォーカス方向に駆動力を発生させる磁気回路を構成できるから、光学ヘッドのサイズをＹ軸方向に小型化することができる。これにより、１２０ｍｍφよりも小さい高記録密度で、かつ小径光ディスクにおける防塵用カートリッジの開口部に収まる小型の光学ヘッドを容易に実現できる。
【手続補正９】
【補正対象書類名】明細書
【補正対象項目名】００３４
【補正方法】変更
【補正の内容】
【００３４】
次に、図７により本発明の他の実施の形態について説明する。
図７は他の実施の形態における光学ヘッドの斜視図である。この図７において、図１及び図６と同一の構成要素には同一符号を付してその構成説明を省略し、図１及び図６と異なる部分を重点に述べる。
この図７において図１及び図６と異なる点は、対物レンズ１０２の収差を補正する液晶素子１１２をコイルボビン１０１に設けたこと、前記液晶素子１１２の駆動用回路素子及びフォーカスコイル１０３とトラッキングコイル１０４ａ，１０４ｂの駆動用回路素子等（図示省略）が実装されるフレキシブル回路基板１１３ａ，１１３ｂを、対物レンズ１０２の光軸が通るＺ軸とＸ軸とを含むＺ−Ｘ平面と平行なコイルボビン１０１のＹ軸方向の両側面箇所にそれぞれ設けたところにある。
前記液晶素子１１２は対物レンズ１０２の下面側、例えば図７の矢印Ａに示す方向からの記録または再生用光ビームの入射側に位置してコイルボビン１０１に設けられている。
【手続補正１０】
【補正対象書類名】明細書
【補正対象項目名】００３６
【補正方法】変更
【補正の内容】
【００３６】
このような実施の形態では、図１及び図６に示す実施の形態と同様な作用効果が得られるほか、液晶素子１１２及びフォーカスコイル１０３とトラッキングコイル１０４ａ，１０４ｂの駆動用回路素子等が実装されるフレキシブル回路基板１１３ａ，１１３ｂをＺ−Ｘ平面と平行なコイルボビン１０１のＹ軸方向の両側面箇所に配設することができ、これにより、フレキシブル回路基板の回路素子実装面積を大きくできる。
【手続補正１１】
【補正対象書類名】明細書
【補正対象項目名】００３８
【補正方法】変更
【補正の内容】
【００３８】
【発明の効果】
以上のように、本発明によれば、小径光ディスクにおける防塵用カートリッジの開口部に収まる小型の光学ヘッドを容易に実現できるとともに、コイルボビン及び対物レンズ等を含む可動部の重心、フォーカス（トラッキング）駆動点及びフォーカス（トラッキング）支持点がフォーカス（トラッキング）軸上に並ぶことで、動的性能にアンバランスが生じるのを防止でき、高密度・高転送レート化に伴う動的性能の高性能化を容易に実現できる。